(57)【特許請求の範囲】
【請求項１】
中央に開口部が形成された環状偏平基板と該偏平基板上部に設けられた帯枕と該偏平基板の左右両縁部中程位置に設けられた一対のベルトとからなる帯整姿具において、複数本のゴム紐を両端部にて束ねてなる仮紐の両端部が帯枕の横幅に近い幅を隔てた状態で該帯枕の下方に位置する偏平基板上部の左右縁部にそれぞれ固定されていることを特徴とする帯整姿具。
【請求項２】
前記仮紐の両端部がそれぞれ着脱可能に固定されている請求項１記載の帯整姿具。
【請求項３】
前記仮紐が３本のゴム紐を両端部にて束ねてなるものである請求項１又は２のいずれかに記載の帯整姿具。
【請求項４】
前記仮紐が外側に配置される仮紐ほど長くなっている請求項１乃至３のいずれかに記載の帯整姿具。
【発明の詳細な説明】
【０００１】
【発明の属する技術分野】
本発明は、着物の着付けにおいて帯結びを整形する際に使用される帯整姿具に関するものである。
【０００２】
【従来の技術】
周知の通り、着物の着付けにおいては帯を何度も折り曲げ、膨らし、束ねて一重太鼓、二重太鼓、ふくら雀等の美しい帯結びを整形するが、該帯結びを整形するには熟練した技術が必要とされるため、初心者が該帯結びを整形することは非常に困難であった。
【０００３】
そこで、初心者でも簡単に帯結びを整形できる補助具として実公昭５３−３８６３号公報には、裏面に少なくとも２本の係止紐を設けてなる帯枕と、基盤上部に形成する帯枕装着部に係止孔又は係止溝を少なくとも３個設けてなる基盤とからなり、前記係止紐を前記係止孔又は係止溝に係止せしめることにより帯枕を基盤に固定するようにした帯整姿具が開示されている。
【０００４】
【発明が解決しようとする課題】
ところで、前記帯整姿具を使用する際には、一度整形した帯結びが容易に崩れないように該帯結びを固定するための仮紐が併用されるが、該仮紐は該帯整姿具と別々に胴体に巻き付けて装着されるため、該帯整姿具と該仮紐が別々に胴体の回りをずれ動いてしまい帯結びがしっかりと固定できずに簡単に着崩れする場合があった。
【０００５】
また、前記帯整姿具と前記仮紐を使用して帯結びをしっかりと固定するためには、該帯整姿具が胴体の回りをずれ動かないように押さえる作業と、該仮紐を胴体の回りをずれ動かないように押さえながら該仮紐を使用する作業を同時に行う必要があり、当該作業を一人で行うことは非常に困難であるため、仮紐を扱う補助者が別途必要となっていた。
【０００６】
【課題を解決するための手段】
そこで、本発明者は、着物の着付けにおいて帯結びを整形する際に、仮紐を扱う補助者を必要とせず、帯結びをしっかりと固定できる帯整姿具を提供することを技術的課題として、その具現化をはかるべく、研究・実験を重ねた。
【０００７】
そして、その結果、帯結びを整形する際に、着用者の背中に当接されて使用される中央に開口部が形成された環状偏平基板と該偏平基板上部に設けられた帯枕と該偏平基板の左右両縁部中程位置に設けられた一対のベルトとからなる帯整姿具において、複数本のゴム紐を両端部にて束ねてなる仮紐の両端部を帯枕の横幅に近い幅を隔てた状態で該帯枕の下方に位置する偏平基板上部の左右縁部にそれぞれ固定すればよいという刮目すべき知見を得、前記技術的課題を達成したものである。
【０００８】
【課題を解決するための手段】
前記技術的課題は、次の通りの本発明によって解決できる。
【０００９】
即ち、本発明に係る帯整姿具は、中央に開口部が形成された環状偏平基板と該偏平基板上部に設けられた帯枕と該偏平基板の左右両縁部中程位置に設けられた一対のベルトとからなる帯整姿具において、複数本のゴム紐を両端部にて束ねてなる仮紐の両端部が帯枕の横幅に近い幅を隔てた状態で該帯枕の下方に位置する偏平基板上部の左右縁部にそれぞれ固定されているものである。
【００１０】
また、本発明は、前記帯整姿具において、前記仮紐の両端部がそれぞれ着脱可能に固定されているものである。
【００１１】
また、本発明は、前記いずれかの帯整姿具において、前記仮紐が３本のゴム紐を両端部にて束ねてなるものである。
【００１２】
また、本発明は、前記いずれかの帯整姿具において、前記仮紐が外側に配置される仮紐ほど長くなっているものである。
【００１３】
【発明の実施の形態】
以下、本発明の実施の形態を図面に基づき説明する。
【００１４】
実施の形態１．
【００１５】
図１は本実施の形態に係る帯整姿具を示した平面図であり、図１の（ａ）は腰布団を装着した状態の帯整姿具を示した平面図であり、図１の（ｂ）は腰布団を取り外した状態の帯整姿具を示した平面図であり、図２は枕部を偏平基板に取り付ける方法を説明する背面図であり、図３は図１に示す帯整姿具を示した背面図であり、図４〜図１３は図１に示す帯整姿具を使用して帯結びを整形する各手順を示した説明図であり、これらの図において、１は、着物の着付けにおいて帯結びを整形する際に、着用者の背中に当接されて使用される中央に開口部２が形成された環状偏平基板３と、該偏平基板３上部に形成された係止部４（図２参照）に装着される帯枕５と、該係止部４の元端部近傍に位置する該偏平基板３の左右縁部に両端部がそれぞれ固定された仮紐６と、該偏平基板３の左右縁部中程位置に設けられた胴体に巻き付けられる一対のベルト７，７と、該偏平基板３下部に形成された切欠部８を跨ぐように該偏平基板３の表側に装着される腰布団９とからなる帯整姿具であり、前記係止部４には、左右縁部にそれぞれ３つの係止溝１０（図２参照）が対称に位置付けて形成されている。
【００１６】
前記帯枕５は、図２に示すように、ウレタン等の弾力性のある材料によって形成された楕円球冠状枕部１１と、該枕部１１に固着された前記係止部４に当接する芯板１２と、該芯板１２に前記係止部４の幅よりも僅かに狭い間隔を開けて形成された一対の固定穴１３，１３に両端部をそれぞれ固定したゴムバンド１４とから構成されており、当該帯枕５は、前記偏平基板３の表側に枕部１１を位置付けた状態でゴムバンド１４の両縁部間に前記係止部４を通して該係止部４に形成された係止溝１０に該ゴムバンド１４の両縁部を係止させることによって該係止部４に着脱可能に装着されている。
【００１７】
なお、当該帯枕５を係止部４に装着する際には、整形する帯結びの種類や帯を着用する者の体格等に応じて該帯枕５のゴムバンド１４を係止する係止溝１０を選択することができ、例えば、一重太鼓やふくら雀等の帯結びを整形する場合には、対称に位置付けられた３組の係止溝１０のいずれかの組に帯枕５のゴムバンド１４の両縁部をそれぞれ係止すればよく、着用者の体格が大きければ、３組の係止溝１０のうち最も上側に位置する組に係止すればよい。また、吉弥結び等の帯結びを整形する場合には、左右において異なる高さに位置付けられた係止溝１０に帯枕５のゴムバンド１４の両縁部をそれぞれ係止すればよい。
【００１８】
前記腰布団９は、図１の（ｂ）に示すように、前記偏平基板３の表側に前記切欠部８を挟んで設けられた上下に並ぶ２組の受けボタン１５，１５に対応するボタン１６，１６が固着された固定部１７と、該固定部１７から垂下する布団部１８とから構成されており、当該布団部１８は、当該固定部１７との境界を折り目として上下に折り返すことができる。
【００１９】
なお、腰布団９は、整形する帯結びのお太鼓の大きさによって偏平基板３の両側の受けボタン１５，１５のいずれかの組を選択して装着することができ、小さなお太鼓の帯結びを整形する場合には、上側に位置する受けボタン１５，１５に固定部１７のボタン１６，１６を嵌合して該腰布団９を偏平基板３に装着すればよく、大きなお太鼓の帯結びを整形する場合には、下側に位置する受けボタン１５，１５に固定部１７のボタン１６，１６を嵌合して該腰布団９を偏平基板３に装着すればよい。
【００２０】
前記仮紐６は、図３に示すように、長さの異なる３本のゴム紐１９ａ，１９ｂ，１９ｃを両端部にて束ねて該両端部より取付部２０を延設させたものであり、前記偏平基板３の外側に配置されるゴム紐１９ほど長くなっている。
【００２１】
次に、本実施の形態に係る帯整姿具の使用方法を説明する。
【００２２】
先ず、図４に示すように、袋帯２１のたれ先２２から約７５cmのところで箱ひだ２３を形成し、偏平基板３下部に装着された腰布団９を外して該箱ひだ２３を帯整姿具１の裏側に位置させた状態で該偏平基板３下部に形成された切欠部８から袋帯２１の胴廻り２４を該偏平基板３の開口部２に通す。この時、該箱ひだ２３と帯枕５の間に仮紐６を配置する。
【００２３】
次に、図５に示すように、再び偏平基板３下部に腰布団９を装着し、たれ先２２を肩にかけた状態で偏平基板３を背中に当接し、一対のベルト７，７を胴体の前に回し結んで帯整姿具１を背中に固定する。そして、腰布団９の布団部１８が胴廻り２４からはみ出さないように該布団部１８を上方に折り曲げる。
【００２４】
次に、図６に示すように、袋帯２１の胴廻り２４を胴体に二回巻き付けた後、残った胴廻り２４の帯幅を半分に折ると共に、該半分に折った帯２５の折り目を下に向けて該半分に折った帯２５を帯枕５の表側から裏側に回して該帯枕５に掛ける。この時、該帯枕５に回し掛けた半分に折った帯２５と前記箱ひだ２３との間に仮紐６を配置する。そして、図７に示すように、残った帯を手先２６まで広げて該帯を絵柄が描かれた側が表側に来るように肩幅に合わして折り畳む。
【００２５】
次に、図８に示すように、折り畳んだ帯の中央に三つのダーツ２７を設けて羽根２８を形成して該ダーツ２７を帯枕５の中央に位置付け、仮紐６の３本のゴム紐１９のうちで最も外側に位置するゴム紐１９ａを前記箱ひだ２３と前記半分に折った帯２５の間から帯整姿具１の表側に取り出し、図９に示すように、該ゴム紐１９ａを該羽根２８の一方端から通すと共に、帯枕５に通して該ゴム紐１９ａの張力によって該羽根２８の中央を該帯枕５の中央に固定する。続いて、仮紐６における３本のゴム紐１９のうちで真ん中に位置するゴム紐１９ｂを前記箱ひだ２３と前記半分に折った帯２５の間から帯整姿具１の表側に取り出し、図１０に示すように、該ゴム紐１９ｂを該羽根２８の他方端から通すと共に、帯枕５に通して前記ゴム紐１９ａにクロスさせて配置し、前記ゴム紐１９ａと同様に該ゴム紐１９ｂの張力によって該羽根２８の中央を帯枕５の中央に固定する。
【００２６】
最後に、図１１に示すように、肩にかけてあるたれ先２２を仮紐６の３本のゴム紐１９のうちで最も内側に位置するゴム紐１９ｃに通して該箱ひだ２３が前記２本のゴム紐１９ａ，１９ｂによって固定された羽根２８の中央部を覆うように下方へ垂らす。この時、該ゴム紐１９ｃが表側に現れるので、該ゴム紐１９ｃを帯整姿具１と背中の間に入れて隠す。なお、箱ひだ２３を下方に垂らす際、ゴム紐１９ｃの上方に小さな羽根を造る部分を残して垂らしてもよい。そして、図１２に示すように、該下方へ垂らした帯の中間部でお太鼓２９を形成し、該お太鼓２９とたれ先２２が重なり合う部分のお太鼓２９側折り返し内に帯締め３０を通した後、好みに合わしてたれ先２２の位置を調節して帯締め３０を締めることにより、図１３に示すように、ふくら雀の帯結びを整形することができる。
【００２７】
なお、本実施の形態に係る帯整姿具１によれば、ふくら雀以外の他の帯結びも簡単に整形することができる。
【００２８】
実施の形態２．
【００２９】
図１４は前記実施の形態１に係る帯整姿具の変形例を示す平面図であり、図１４の（ａ）は偏平基板に仮紐を装着した帯整姿具を示した平面図であり、図１４の（ｂ）は偏平基板から仮紐を取り外した帯整姿具を示した平面図であり、同図において、図１〜図１３と同一符号は同一又は相当部分を示し、図１４に示す帯整姿具１は、偏平基板３上部の表側左右縁部に受けホック３１，３１をそれぞれ固着し、該受けホック３１，３１に対応するホック３２，３２を仮紐６の両取付部２０，２０の端部にそれぞれ固着するこにより、該仮紐６を偏平基板３に着脱可能に固定できるようにしたものである。
【００３０】
本実施の形態においても、前記実施の形態１と同様の作用・効果を得ることができ、さらに、仮紐６を必要としない帯結びを整形する際には、該仮紐６を偏平基板３から取り外すことができる。
【００３１】
実施の形態３．
【００３２】
図１５は前記実施の形態１に係る帯整姿具における仮紐を固定する位置の変形例を示す背面図であり、同図において、図１〜図１３と同一符号は同一又は相当部分を示し、図１５に示す仮紐６の両取付部２０，２０の端部は、帯枕５における芯板１２の左右縁部にそれぞれ固定されている。
【００３３】
なお、前記実施の形態２と同様にして仮紐６を帯枕５における芯板１２に着脱可能に固定できるようにしてもよい。
【００３４】
本実施の形態においても、前記実施の形態１及び２と同様の作用・効果を得ることができる。
【００３５】
【発明の効果】
本発明によれば、仮紐を帯整姿具に固定したので、仮紐を使用して帯結びを固定する際に、仮紐、帯整姿具及び帯結びが一体的になるため、着付け後においてもそれぞれが別々に揺動せずに帯結びがしっかりと固定できて着崩れし難くなる。また、帯結びを整形する際には、帯整姿具が胴体の回りをずれ動かないように押さえるだけで、同時に仮紐を胴体に対して固定でき、仮紐のゴム部分の角度が帯結びに大変適するとともに、仮紐の扱いが非常に簡単となり、該仮紐を扱う補助者を必要としない。
【００３６】
従って、本発明の産業上利用性は非常に高いといえる。
【図面の簡単な説明】
【図１】実施の形態１に係る帯整姿具を示した平面図である。
【図２】枕部を偏平基板に取り付ける方法を説明する背面図である。
【図３】図１に示す帯整姿具を示した背面図である。
【図４】図１に示す帯整姿具を使用して帯結びを整形する手順を示した説明図である。
【図５】図１に示す帯整姿具を使用して帯結びを整形する手順を示した説明図である。
【図６】図１に示す帯整姿具を使用して帯結びを整形する手順を示した説明図である。
【図７】図１に示す帯整姿具を使用して帯結びを整形する手順を示した説明図である。
【図８】図１に示す帯整姿具を使用して帯結びを整形する手順を示した説明図である。
【図９】図１に示す帯整姿具を使用して帯結びを整形する手順を示した説明図である。
【図１０】図１に示す帯整姿具を使用して帯結びを整形する手順を示した説明図である。
【図１１】図１に示す帯整姿具を使用して帯結びを整形する手順を示した説明図である。
【図１２】図１に示す帯整姿具を使用して帯結びを整形する手順を示した説明図である。
【図１３】図１に示す帯整姿具を使用して帯結びを整形する手順を示した説明図である。
【図１４】実施の形態１に係る帯整姿具の変形例を示す平面図である。
【図１５】実施の形態１に係る帯整姿具における仮紐を固定する位置の変形例を示す背面図である。
【符号の説明】
１  帯整姿具
２  開口部
３  偏平基板
４  係止部
５  帯枕
６  仮紐
７  ベルト
８  切欠部
９  腰布団
１０  係止溝
１１  枕部
１２  芯板
１３  固定穴
１４  ゴムバンド
１５  受けボタン
１６  ボタン
１７  固定部
１８  布団部
１９  ゴム紐
２０  取付部
２１  袋帯
２２  たれ先
２３  箱ひだ
２４  胴廻り
２５  半分に折った帯
２６  手先
２７  ダーツ
２８  羽根
２９  お太鼓
３０  帯締め
３１  受けホック
３２  ホック
【図１】
0003906457.tif 000002
【図２】
0003906457.tif 000003
【図３】
0003906457.tif 000004
【図４】
0003906457.tif 000005
【図５】
0003906457.tif 000006
【図６】
0003906457.tif 000007
【図７】
0003906457.tif 000008
【図８】
0003906457.tif 000009
【図９】
0003906457.tif 000010
【図１０】
0003906457.tif 000011
【図１１】
0003906457.tif 000012
【図１２】
0003906457.tif 000013
【図１３】
0003906457.tif 000014
【図１４】
0003906457.tif 000015
【図１５】
0003906457.tif 000016